(57)【要約】      （修正有）【課題】プラグと係合しているときに緩み難く、前記プラグとの係合が解かれるときに容易に抜くことができる安全なソケットを提供する。【解決手段】内側ハウジング１０に固定された２つの支持フレーム１１とを備える。ベース２は、前記内側ハウジングを覆う外側ハウジング２０と、それぞれが該外側ハウジングに固定された２つのガイドアーム２１とを備える。導電ユニット３は前記支持フレームの一方と他方との間に配置されている。プラグの２つのブレードが挿入用ブロック１に挿入され、内方へ押されたとき、前記導電ユニットは前記ブレードに電気的に接続されるために回転する。各ブレードは、前記プラグが任意に抜かれることを防ぐために前記導電ユニットと前記支持アームとの間に保持される。前記挿入用ブロックが再び押されたとき、前記導電ユニットは回転し、前記プラグを容易に抜くことができる。【選択図】図２
0003164030.tif 000002
【実用新案登録請求の範囲】
【請求項１】
底壁と前壁と２つの側壁と前記底壁を貫く開口部と前記前壁を貫く挿入用穴と前記前壁に隣接して前記側壁の外面に形成され、該外面から突出する少なくとも１つの突起とを有する内側ハウジングと、それぞれが該内側ハウジングの中に配置され、該内側ハウジングに固定された２つの支持フレームであってそれぞれが、前記内側ハウジングに結合されたフェンスを有する２つの支持フレームとを備える少なくとも１つの挿入用ブロックと、
前記挿入用ブロックを覆う中空の外側ハウジングであって頂壁と、後壁と、２つの側壁と、前記頂壁を貫き、前記内側ハウジングの前記開口部と向き合う開口部と、前記突起を受け入れるために前記側壁を貫く少なくとも１つのスロットとを有する外側ハウジングと、前記挿入用ブロックの前記支持フレームを案内するために前記外側ハウジングの前記後壁の内面に固定された少なくとも１組のガイドアームとを備えるベースと、
前記挿入用ブロックの前記支持フレームの一方と他方との間に配置された導電ユニットとを含み、
前記導電ユニットは、貫通穴とそれぞれが周縁部に形成された複数の歯とを有するラチェットと、一端部が前記内側ハウジングの前記前壁の内面に接続され、他端部が前記歯の１つに接するつめと、駆動用組立体と、前記ラチェットと前記駆動用組立体との間に配置された電気接続組立体とを備え、
前記駆動用組立体は、底部に周方向に間隔を置いて設けられた複数の位置決め凹所と貫通穴とをもつディスクと、一端部が前記外側ハウジングの前記後壁の内面に固定された支持アームと、該支持アームの他端部に回転可能に取り付けられた位置決めリンクであって前記ディスクの前記位置決め凹所の１つに係合する位置決め突起と、貫通穴とをもつ位置決めリンクとを有し、
前記電気接続組立体は、前記ベースの前記ガイドアームの一方と他方との間に配置された円柱状のキャリアであって複数の縦溝と、前記ラチェットの前記貫通穴と前記ディスクの前記貫通穴と前記位置決めリンクの前記貫通穴とを貫くスピンドルとをもつキャリアと、それぞれが前記縦溝に受け入れられた複数の導電ロッドであって各導電ロッドの一端部及び他端部がそれぞれ前記ラチェット及び前記ディスクに接続された複数の導電ロッドとを有する、ソケット。
【請求項２】
前記導電ユニットの前記駆動用組立体は、前記ディスクの頂部に取り付けられたカバーを有し、
前記カバーは、該カバーの頂部に設けられた凹所と、それぞれが該凹所の壁に設けられ、前記導電ロッドの前記他端部に係合する複数の円弧状の窪みとを有する、請求項１に記載のソケット。
【請求項３】
前記導電ユニットの前記ラチェットは、該ラチェットの底部に設けられた凹所と、それぞれが該凹所の壁に設けられ、前記導電ロッドの前記一端部に係合する複数の円弧状の窪みとを有する、請求項２に記載のソケット。
【請求項４】
前記導電ユニットの前記カバーは４つの円弧状の窪みを有し、前記導電ユニットの前記ラチェットは４つの円弧状の窪みを有し、前記導電ユニットの前記電気接続組立体は４つの導電ロッドを有し、前記導電ユニットの前記キャリアは４つの縦溝を有する、請求項３に記載のソケット。
【請求項５】
前記導電ユニットの前記ディスクは８つの位置決め凹所を有し、隣接する２つの位置決め凹所の間の角度は４５度である、請求項１に記載のソケット。
【請求項６】
前記導電ユニットの前記カバーは、前記キャリアの前記スピンドルを受け入れる中央穴を有する、請求項２に記載のソケット。
【請求項７】
前記導電ユニットの前記駆動用組立体は、前記キャリアの前記スピンドルの端部の周囲に配置された、前記位置決めリンクを前記ディスクに押し付ける弾性部材を有する、請求項１に記載のソケット。
【請求項８】
前記挿入用ブロックの各支持フレームは、前記フェンスの側部に形成された、貫通穴を有するシリンダーであって一端部が前記内側ハウジングの前記前壁の内面に固定されたシリンダーと、該シリンダーの前記貫通穴に受け入れられた弾性部材とを有する、請求項１に記載のソケット。
【請求項９】
複数の挿入用ブロックを有し、
前記外側ハウジングは、少なくとも１つの壁と、前記挿入用ブロックが前記外側ハウジングで覆われるように前記挿入用ブロックの前記突起を受け入れるためにそれぞれが前記壁を貫く複数のスロットとを有する、請求項１ないし８のいずれか１項に記載のソケット。
【考案の詳細な説明】
【技術分野】
【０００１】
本考案は、プラグと係合しているときに緩み難く、前記プラグとの係合が解かれるときに容易に抜くことができる電源ソケットに関する。
【背景技術】
【０００２】
電気器具を電源ソケットに電気的に接続するため、前記電源ソケットに電源プラグが挿入され、該電源プラグのブレードが前記電源ソケットの導電ストリップにより保持される。前記電源ソケットが新しいとき、該電源ソケットは前記電源プラグを確実に保持する。このため、前記電源ソケットから前記電源プラグを取り外すために一方の手で前記電源プラグを持ち、他方の手で前記電源ソケットを押すことを要する。このような手順は不便である。前記導電ストリップの保持力は、使用後、徐々に弱まり、前記電源プラグは、少し触れただけで容易に外れるようになる。このため、感電及び火災の危険性が増し、幼児が危険にさらされる。
【０００３】
安全性を高めるため、前記電源プラグを前記電源ソケットに固定する固定手段が用いられている。従来の固定手段は、前記電源プラグと前記電源ソケットとを接続するネジを有する。しかし、前記電源プラグを前記電源ソケットから取り外す前に前記ネジを抜き取らなければならず、多くの手間と時間とを要する。このため、容易に抜くことができる固定手段が必要とされている。
【考案の概要】
【考案が解決しようとする課題】
【０００４】
本考案の目的は、プラグと係合しているときに緩み難く、前記プラグとの係合が解かれるときに容易に抜くことができる安全なソケットを提供することである。
【課題を解決するための手段】
【０００５】
前記した目的を達成するため、前記ソケットは、少なくとも１つの挿入用ブロックと、ベースと、少なくとも１つの導電ユニットとを含む。
【０００６】
前記挿入用ブロックは、内側ハウジングと、２つの支持フレームとを備える。前記内側ハウジングは、中空であり、底壁と、前壁と、２つの側壁と、開口部と、２つの挿入用穴と、少なくとも１つの突起とを有する。前記開口部は前記底壁を貫いている。各挿入用穴は前記前壁を貫いている。前記突起は、前記前壁に隣接して前記側壁の外面に形成され、該外面から突出している。各支持フレームは、前記内側ハウジングの中に配置され、該内側ハウジングに固定されている。前記支持フレームは、前記内側ハウジングに結合されたフェンスを有する。
【０００７】
前記ベースは、外側ハウジングと、少なくとも１組のガイドアームとを備える。前記外側ハウジングは、中空であり、前記挿入用ブロックを覆っている。前記外側ハウジングは、頂壁と、後壁と、２つの側壁と、開口部と、少なくとも１つのスロットとを有する。
【０００８】
前記外側ハウジングの前記開口部は、前記頂壁を貫通しており、前記内側ハウジングの前記開口部と向き合っている。前記スロットは、前記突起を受け入れるために前記側壁を貫いている。各組のガイドアームは、前記支持フレームを前記挿入用ブロックに案内するために前記後壁の内面に固定されている。
【０００９】
前記導電ユニットは、前記支持フレームの一方と他方との間に配置されており、ラチェットと、つめと、駆動用組立体と、電気接続組立体とを備える。前記ラチェットは、貫通穴と、複数の歯とを有する。前記歯は前記ラチェットのリムに形成されている。前記つめの一端部は前記内側ハウジングの前記前壁の内面に回転可能に接続されている。前記つめの他端部は前記ラチェットの前記歯の１つに接している。前記駆動用組立体は、ディスクと、支持アームと、位置決めリンクとを有する。前記ディスクは、複数の位置決め凹所と、貫通穴とを有する。前記位置決め凹所は前記ディスクの底部に周方向に間隔を置いて設けられている。前記支持アームの一端部は前記外側ハウジングの前記後壁の内面に固定されている。前記位置決めリンクは、前記支持アームの他端部に回転可能に取り付けられており、位置決め突起と、貫通穴とを有する。前記位置決め突起は前記ディスクの前記位置決め凹所の１つに選択的に係合する。前記電気接続組立体は、前記ラチェットと前記駆動用組立体との間に配置されており、キャリアと、複数の導電ロッドとを有する。前記キャリアは、円柱状であり、前記ベースの前記ガイドアームの一方と他方との間に配置されており、複数の縦溝と、スピンドルとを有する。各縦溝は前記キャリアに設けられている。前記スピンドルは、前記キャリアを貫き、前記ラチェットの前記貫通穴と前記ディスクの前記貫通穴と前記位置決めリンクの前記貫通穴とを貫いている。各導電ロッドは前記縦溝の中に配置されている。前記導電ロッドの一端部及び他端部はそれぞれ前記ラチェット及び前記ディスクに接続されている。
【００１０】
プラグの２つのブレードが前記挿入用ブロックの２つの挿入用穴に挿入され、前記内側ハウジングが内方へ押されたとき、前記導電ユニットの前記位置決めリンクは前記支持アームの前記他端部に対して反時計回りに回転する。前記位置決め突起が前記ディスクの前記位置決め凹所に係合することにより、前記ディスクも反時計回りに回転する。前記電気接続組立体の前記キャリアも回転する。前記キャリアが反時計回りに回転したとき、前記電気接続組立体の２つの導電ロッドは前記ブレードと前記ガイドアームとに電気的に接続される。各ブレードが前記フェンスと前記導電ロッドとにより保持されているとき、前記プラグは前記ソケットから抜け難い。
【００１１】
前記内側ハウジングが再び内方へ押されたとき、前記駆動用組立体の前記位置決めリンクは再び反時計回りに回転し、前記電気接続組立体も回転する。前記プラグの前記ブレードに接していた前記導電ロッドは、前記回転により前記ブレードから離れる。言い換えると、前記ブレードはもはや前記フェンスと前記導電ロッドとにより保持されない。このため、前記プラグは前記ソケットから抜き易く、これにより、安全性及び利便性を向上させることができ、緩み難く、抜き易いソケットを提供することができる。
【００１２】
本考案の他の目的、利点及び新規な特徴は、添付の図面に関する以下の詳細な説明から明らかになる。
【図面の簡単な説明】
【００１３】
【図１】本考案の第１実施例に係る電源ソケットの斜視図。
【図２】本考案の第１実施例に係る電源ソケットの分解斜視図。
【図３】本考案の第１実施例に係る電源ソケットの導電ユニットの分解斜視図。
【図４】本考案の第１実施例に係る電源ソケットの正面から見た断面図。
【図５】電源プラグが差し込まれたときの本考案の第１実施例に係る電源ソケットの上方から見た断面図。
【図６】電源プラグが差し込まれたときの本考案の第１実施例に係る電源ソケットの上方から見た他の断面図。
【図７】電源プラグが差し込まれたときの本考案の第１実施例に係る電源ソケットの上方から見た他の断面図。
【図８】電源プラグが差し込まれたときの本考案の第１実施例に係る電源ソケットの下方から見た他の断面図。
【図９】電源プラグが差し込まれたときの本考案の第１実施例に係る電源ソケットの側方から見た断面図。
【図１０】電源プラグの２つのブレードが挿入されたときの本考案の第１実施例に係る電源ソケットの部分的な斜視図。
【図１１】電源プラグが差し込まれたときの本考案の第１実施例に係る電源ソケットの上方から見た他の断面図。
【図１２】電源プラグが差し込まれたときの本考案の第１実施例に係る電源ソケットの上方から見た他の断面図。
【図１３】電源プラグが差し込まれたときの本考案の第１実施例に係る電源ソケットの下方から見た他の断面図。
【図１４】電源プラグが差し込まれたときの本考案の第１実施例に係る電源ソケットの側方から見た他の断面図。
【図１５】電源プラグの２つのブレードが挿入されたときの本考案の第１実施例に係る電源ソケットの他の部分的な斜視図。
【図１６】電源プラグが差し込まれたときの本考案の第１実施例に係る電源ソケットの上方から見た他の断面図。
【図１７】壁に組み込まれた、本考案の第１実施例に係る電源ソケットの側面図。
【図１８】本考案の第２実施例に係る電源ソケットの側面図。
【考案を実施するための形態】
【００１４】
図１、２に示すように、ソケットが、少なくとも１つの挿入用ブロック１と、ベース２と、少なくとも１つの導電ユニット３とを含む。図１、２には、１つの挿入用ブロック１と、１つの導電ユニット３とが示されている。
【００１５】
挿入用ブロック１は、内側ハウジング１０と、２つの支持フレーム１１とを備える。内側ハウジング１０は、立方体で、中空であり、底壁と、前壁と、２つの側壁と、開口部と、２つの挿入用穴１２と、少なくとも１つの突起１３とを有する。前記開口部は前記底壁を貫いている。各挿入用穴１２は前記前壁を貫いている。突起１３は、前記前壁に隣接して前記側壁の外面に形成され、該外面から突出している。各支持フレーム１１は、内側ハウジング１０の中に配置され、該内側ハウジングに固定されている。支持フレーム１１は、フェンス１４と、シリンダー１５と、弾性部材１６とを有する。フェンス１４は、内側ハウジング１０に結合されており、対応する挿入用穴１２に隣接している。シリンダー１５はフェンス１４の側部に形成され、シリンダー１５の一端部は前記前壁の内面に固定されている。シリンダー１５は貫通穴１５１を有する。弾性部材１６は、シリンダー１５の貫通穴１５１に受け入れられており、スプリングである。ベース２は、外側ハウジング２０と、２つのガイドアーム２１とを備える。外側ハウジング２０は、立方体で、中空であり、頂壁と、後壁と、２つの側壁と、開口部とを有する。前記開口部は前記頂壁を貫いている。外側ハウジング２０は挿入用ブロック１を覆っており、外側ハウジング２０の前記開口部は内側ハウジング１０の前記開口部と向き合っている。外側ハウジング２０は少なくとも１つのスロット２２を有する。スロット２２は、対応する突起１３を受け入れ、該突起をスロット２２の中へ案内するために、外側ハウジング２０の前記側壁の１つを貫いている。各ガイドアーム２１は、対応する支持フレーム１１を案内するために外側ハウジング２０の前記後壁の内面に固定されている。
【００１６】
図２ないし４に示すように、導電ユニット３は、挿入用ブロック１の支持フレーム１１の一方と他方との間に配置され、これらに保持されている。導電ユニット３は、ラチェット３１と、つめ３２と、駆動用組立体４０と、電気接続組立体５０とを備える。ラチェット３１は、凹所３１０と、貫通穴３１２と、複数の歯３１３とを有する。凹所３１０は、ラチェット３１の底部に設けられており、それぞれが凹所３１０の壁に設けられた４つの円弧状の窪み３１１を有する。貫通穴３１２はラチェット３１を貫いている。各歯３１３はラチェット３１のリムに形成されている。つめ３２の一端部は内側ハウジング１０の前記前壁の内面に接続されており、つめ３２の他端部は、ラチェット３１が一方向に回転できるように歯３１３の１つに係合する。
【００１７】
駆動用組立体４０は、カバー４１と、ディスク４２と、支持アーム４３と、位置決めリンク４４とを有する。カバー４１は、凹所４１０と、貫通穴４１２とを有する。凹所４１０は、カバー４１の頂部に設けられており、それぞれが凹所４１０の壁に設けられた４つの円弧状の窪み４１１を有する。貫通穴４１２はカバー４１を貫いている。ディスク４２の頂部はカバー４１の底部に固定されている。ディスク４２は、８つの位置決め凹所４２１と、貫通穴４２２とを有する。位置決め凹所４２１はディスク４２の底部における貫通穴４２２の周囲に等間隔に設けられており、隣接する２つの位置決め凹所４２１の間の角度は４５度である。貫通穴４２２はディスク４２を貫いている。支持アーム４３の一端部は外側ハウジング２０の前記後壁の内面に固定されている。位置決めリンク４４は、支持アーム４３の他端部に回転可能に接続されており、位置決め突起４４１と、貫通穴４４２とを有する。位置決め突起４４１は位置決め凹所４２１の１つに選択的に係合する。貫通穴４４２は位置決めリンク４４を貫いている。電気接続組立体５０は、ラチェット３１とカバー４１との間に配置されており、キャリア５１と、４つの導電ロッド５２とを有する。キャリア５１は、円柱状であり、ベース２の２つのガイドアーム２１の一方と他方との間に配置されており、４つの縦溝５１１と、スピンドル５１２とを有する。各縦溝５１１はキャリア５１に設けられている。スピンドル５１２は、ラチェット３１の貫通穴３１２とカバー４１の貫通穴４１２とディスク４２の貫通穴４２２と位置決めリンク４４の貫通穴４４２とを貫いている。各導電ロッド５２は、対応する縦溝５１１の中に配置されている。導電ロッド５２の一端部は、ラチェット３１の、対応する円弧状の窪み３１１に係合し、導電ロッド５２の他端部は、カバー４１の、対応する円弧状の窪み４１１に係合している。駆動用組立体４０は、キャリア５１のスピンドル５１２の端部の周囲に配置された、位置決めリンク４４をディスク４２に押し付ける弾性部材４５を有する。
【００１８】
図５を参照すると、プラグ１００の２つのブレード１０１の一方及び他方がそれぞれ挿入用ブロック１の２つの挿入用穴１２の一方及び他方に挿入されており、内側ハウジング１０は未だ内方へ押されておらず、導電ユニット３の４つの導電ロッド５２のそれぞれはプラグ１００のブレード１０１のいずれとも接していない。この状態では、プラグ１００は前記ソケットに電気的に接続されていない。
【００１９】
図６ないし１０に示すように、内側ハウジング１０が内方へ押されたとき、導電ユニット３の位置決めリンク４４は支持アーム４３の前記他端部に対して反時計回りに４５度回転する。位置決めリンク４４の位置決め突起４４１は位置決めリンク４４の１つに係合し、ディスク４２は位置決めリンク４４により反時計回りに４５度回転される。ディスク４２がカバー４１の前記底部に固定され、導電ユニット３の導電ロッド５２がラチェット３１の円弧状の窪み３１１とカバー４１の円弧状の窪み４１１とに係合しているため、ラチェット３１とカバー４１と電気接続組立体５０のキャリア５１とはディスク４２とともに回転する。
【００２０】
図１０に示したように、キャリア５１が反時計回りに４５度回転したとき、電気接続組立体５０の２つの導電ロッド５２の一方及び他方はそれぞれプラグ１００の２つのブレード１０１の一方及び他方に接し、２つのブレード１０１は、該ブレードへのガイドアーム２１及び導電ロッド５２を経る電気的な接続経路を確立するためにガイドアーム２１に同時に接する。
【００２１】
図１１ないし１５に示すように、プラグ１００に加えられた力が除去され、内側ハウジング１０が押されていないとき、該内側ハウジングは弾性部材１６の弾性力により自動的に外方へ戻り、位置決めリンク４４は時計回りに４５度回転する。つめ３２がラチェット３１の歯３１３の１つに係合しているため、ラチェット３１が時計回りに回転することを防止できる。このため、ラチェット３１の円弧状の窪み３１１に係合する導電ロッド５２と、該導電ロッドに係合するカバー４１とが回転することも防止できる。カバー４１に固定されたディスク４２も回転することが防止されるが、該ディスクは内側ハウジング１０の中で上方へ動く。ディスク４２が上方へ動くとき、位置決めリンク４４の位置決め突起４１１はディスク４２の位置決め凹所４２１から抜ける。その間、弾性部材４５は、位置決めリンク４４がディスク４２から離れないように位置決めリンク４４をディスク４２に押し付ける。ディスク４２が上方へ動いている間、位置決め凹所４２１から抜けた位置決め突起４１１は、他の位置決め凹所４２１に係合するためにさらに回転する。図１２に示したように、各ブレード１０１が、対応するフェンス１４と、対応する導電ロッド５２との間に保持された状態で、プラグ１００は前記ソケットに差し込まれている。
【００２２】
図１６に示すように、プラグ１００を前記ソケットから抜くために、導電ユニット３の駆動用組立体４０の位置決めリンク４４が反時計回りに４５度回転し、電気接続組立体５０も反時計回りに４５度回転するように内側ハウジング１０は再び内方へ押される。回転の結果、各ブレード１０１はもはやフェンス１４と導電ロッド５２との間に保持されない。このため、導電ロッド５２はブレード１０１との接続を解除され、プラグ１００を前記ソケットから容易に抜くことができる。
【００２３】
図１７に示す例では、前記ソケットは壁に組み込まれている。ベース２は前記壁の中に入れられ、ベース２の前記開口部は外方に向けられている。挿入用ブロック１はベース２の前記開口部を貫いており、挿入用ブロック１を前記壁の中で内方へ押すことができる。図１８に示す例では、前記ソケットは、複数の挿入用ブロック１と、ベース２とを含む。ベース２は、少なくとも１つの壁と、それぞれが該壁を貫く複数のスロット２２とを有する外側ハウジング２０を備える。挿入用ブロック１の突起１３は、挿入用ブロック１が外側ハウジング２０に覆われるように、対応するスロット２２に受け入れられる。前記ソケットは、緩み難く、抜き易いだけでなく、特別注文に基づいて挿入用ブロック１の数を増すことができる。
【符号の説明】
【００２４】
１    挿入用ブロック
２    ベース
３    導電ユニット
１０    内側ハウジング
１１    支持フレーム
２０    外側ハウジング
２１    ガイドアーム
３１    ラチェット
３２    つめ
４０    駆動用組立体
５０    電気接続組立体
５１    キャリア
５２    導電ロッド
【図１】
0003164030.tif 000003
【図２】
0003164030.tif 000004
【図３】
0003164030.tif 000005
【図４】
0003164030.tif 000006
【図５】
0003164030.tif 000007
【図６】
0003164030.tif 000008
【図７】
0003164030.tif 000009
【図８】
0003164030.tif 000010
【図９】
0003164030.tif 000011
【図１０】
0003164030.tif 000012
【図１１】
0003164030.tif 000013
【図１２】
0003164030.tif 000014
【図１３】
0003164030.tif 000015
【図１４】
0003164030.tif 000016
【図１５】
0003164030.tif 000017
【図１６】
0003164030.tif 000018
【図１７】
0003164030.tif 000019
【図１８】
0003164030.tif 000020